(57)【要約】【課題】本発明の目的は、照準器を内蔵した光学結像装置を提供する。【解決手段】本発明の照準器付き光学結像装置は、結像レンズを用いて被写体像を結像する光学結像装置１と、前記光学結像装置に設置された照準器２と、を具え、前記照準器は、前記光学結像装置に収納及び展開可能に設置された光学窓２１と、前記光学窓上に照準マークを投光する投光器２２とを具える。望ましくは、前記照準器は、前記光学窓を展開方向に付勢する付勢手段２１ｂを具え、前記光学結像装置は、閉状態で、前記光学窓を押さえ付けて前記光学結像装置に収納し、開状態で、前記光学窓を前記付勢手段の付勢力で展開させる開閉カバー４を具える。【選択図】図４
2015155966.tif 000002
【特許請求の範囲】
【請求項１】
結像レンズを用いて被写体像を結像する光学結像装置と、
前記光学結像装置に設置された照準器と、
を具え、
前記照準器は、
前記光学結像装置に収納及び展開可能に設置された光学窓と、
前記光学窓上に照準マークを投光する投光器と、
を具えることを特徴とする照準器付き光学結像装置。
【請求項２】
前記照準器は、前記光学窓を展開方向に付勢する付勢手段を具え、
前記光学結像装置は、閉状態で、前記光学窓を押さえ付けて前記光学結像装置に収納し、開状態で、前記光学窓を前記付勢手段の付勢力で展開させる開閉カバーを具える、
請求項１に記載の照準器付き光学結像装置。
【請求項３】
前記開閉カバーは、展開した前記光学窓に対向する側で前記光学結像装置に回動可能に取り付けられ、
前記開閉カバーは、前記開閉カバーの開状態で、展開した前記光学窓と対向する位置に開設された窓部と、前記窓部を開閉する開閉扉と、
を具える、請求項１又は請求項２に記載の照準器付き光学結像装置。
【請求項４】
前記開閉扉は前記開閉カバーに回動可能に取り付けられ、展開した前記光学窓により開扉される、
請求項３に記載の照準器付き光学結像装置。
【請求項５】
前記投光器は、前記光学窓に投光する照準マークの位置を調整する調整機構を具えており、
前記調整機構は、
前記投光器を付勢する付勢手段と、
前記投光器の位置を調整するカムと、
前記カムの回転角を調整する調整ダイヤルと
を具える、
請求項１乃至請求項４の何れかに記載の照準器付き光学結像装置。
【請求項６】
前記光学結像装置は、
前記開閉カバーを開方向に付勢する付勢手段と、
前記開閉カバーの閉状態をロックするロック機構と、
前記ロック機構による前記開閉カバーのロックを解除するレバーと
を具える、
請求項１乃至請求項５の何れかに記載の照準器付き光学結像装置。
【請求項７】
前記光学結像装置は、被写体を撮像するカメラであり、前記開閉カバーの内面に閃光器が配置されている、
請求項１乃至請求項６の何れかに記載の照準器付き光学結像装置。
【発明の詳細な説明】
【技術分野】
【０００１】
本発明は、カメラ等の光学結像装置において被写体を捉えるための照準器を内蔵した光学結像装置に関するものである。
【背景技術】
【０００２】
撮像機能を有するカメラ等の光学結像装置では、ファインダを覗かないで被写体を捉えるために、ホットシュー等に後付可能な照準器が用いられている。照準器とは、光学窓を具え、その光学窓に投光された照準マークに被写体を重ねることで、その被写体をカメラの視野内に収めるものである。
【発明の概要】
【発明が解決しようとする課題】
【０００３】
照準器は、カメラに別途取り付ける作業を必要とし、また、使用後、照準器をカメラに取り付けたままであるとカメラが嵩張ったり、照準器が破損してしまう虞があるため、照準器をカメラから取り外す必要がある。
【０００４】
また、カメラの種類等によって照準器の取付角度や取付位置が異なるので、取付後に照準器の取付角度等を調整する必要がある。
【０００５】
本発明の目的は、照準器を内蔵した光学結像装置を提供することである。
【課題を解決するための手段】
【０００６】
本発明の照準器付き光学結像装置は、
結像レンズを用いて被写体像を結像する光学結像装置と、
前記光学結像装置に設置された照準器と
を具え、
前記照準器は、
前記光学結像装置に収納及び展開可能に設置された光学窓と、
前記光学窓上に照準マークを投光する投光器と
を具える。
【０００７】
また、本発明の照準器付き光学結像装置は、
前記照準器は、前記光学窓を展開方向に付勢する付勢手段を具え、
前記光学結像装置は、閉状態で、前記光学窓を押さえ付けて前記光学結像装置に収納し、開状態で、前記光学窓を前記付勢手段の付勢力で展開させる開閉カバーを具える。
【０００８】
さらに、本発明の照準器付き光学結像装置は、
前記開閉カバーは、展開した前記光学窓に対向する側で前記光学結像装置に回動可能に取り付けられ、
前記開閉カバーは、前記開閉カバーの開状態で、展開した前記光学窓と対向する位置に開設された窓部と、前記窓部を開閉する開閉扉と、
を具える。
【０００９】
また、本発明の照準器付き光学結像装置は、
前記開閉扉は前記開閉カバーに回動可能に取り付けられ、展開した前記光学窓により開扉される。
【発明の効果】
【００１０】
本発明の照準器付き光学結像装置によれば、光学結像装置に照準器が搭載されているので、照準器の取付け及び取外しの作業や取付角度等の調整が不要となる。また、光学窓が収納及び展開可能に設置されているので、光学結像装置を使用しないときは、光学窓を収納することで、照準器（特に光学窓）が嵩張ることを防止することができる。
【図面の簡単な説明】
【００１１】
【図１】図１は、開閉カバー閉状態のカメラの前面側斜視図である。
【図２】図２は、開閉カバー開状態のカメラの前面側斜視図である。
【図３】図３は、開閉カバー開状態のカメラの後面側斜視図である。
【図４】図４は、図２のIV−IV断面図である。
【図５】図５は、開閉カバー及びフードを外した場合のカメラの前面側斜視図である。
【図６】図６は、開閉カバー及びフードを外した場合のカメラの後面側斜視図である。
【図７】図７は、図６の矢示方向VIIから見た投光器の周辺の拡大図である。
【図８】図８は、図１のVIII−VIII断面図である。
【図９】図９は、開閉カバーの開閉途上状態を示した断面図である。
【発明を実施するための形態】
【００１２】
以下、本発明の一実施形態に係る照準器付き光学結像装置について、図面を参照して具体的に説明する。
【００１３】
本実施形態に係る照準器付き光学結像装置は、結像レンズを用いて被写体像を結像する光学結像装置に、光学結像装置の視野内に所望の被写体を収めさせるための照準器を搭載したものである。本実施形態では、光学結像装置として、静止画や動画の撮像機能を有するデジタルカメラを例に挙げて説明するが、光学結像装置は、その他のカメラ、撮像機能を有するスマートフォンなどの携帯電話機、望遠鏡や双眼鏡などであってもよい。
【００１４】
本実施形態に係る照準器付き光学結像装置は、図１乃至図３に示すように、カメラ１と、カメラ１に搭載された照準器２とを具えている。カメラ１は、結像レンズやＣＣＤ等の撮像素子を具えており、被写体像を結像レンズを介して撮像素子上に結像させることで撮像する。
【００１５】
カメラ１の前面には、結像レンズが収納されたレンズ筐体１１が設けられている。また、カメラ１の上部には、照準器２を覆う開閉カバー４を具え、その後方には、前方に向けて開口したフード５などが設けられている。なお、本実施形態では、照準器２、開閉カバー４及びフード５は、カメラ１の上部に設置しているが、照準器２の機能を発揮できる箇所であるなら側面等に設置されてもよい。
【００１６】
照準器２は、図４乃至図６に示すように、光学窓２１と、光学窓２１に点又は十字マークなどの照準マークを投光する投光器２２と、投光器２２の上下方向の位置、すなわち、照準マークの上下方向の位置を調整する調整機構２３とを具えている。
【００１７】
光学窓２１は、透明性部材により例えば正面視矩形状に形成されており、外周を枠体２１ｃにより包囲されている。光学窓２１は、使用者が光学窓２１を透かして被写体を視認するものであり、投光器２２から投光された照準マークを映し出すことが可能になっている。光学窓２１上で被写体と照準マークとを重なるようにカメラ１の撮影方向を調整することで、被写体をカメラ１の視野内に収めることができる。
【００１８】
光学窓２１は、カメラ１の上部において、カメラ１に収納及び展開可能に設置される。より詳細には、図４に示すように、光学窓２１の枠体２１ｃは、下端が回転軸部２１ａを中心に回動可能となるようにカメラ１に取り付けられている。光学窓２１は、回転軸部２１ａを中心に回動することで、収納及び展開可能になっている。即ち、光学窓２１は、直立方向に回動することで展開し、この展開状態ではカメラ前面側を向いている。また、光学窓２１は、対物側（即ちカメラ前面側）に回動させることで倒伏して収納される（図８参照）。本実施形態では、カメラ１の上部における光学窓２１の倒伏位置には、収納凹部１２が設けられており、光学窓２１は、その倒伏状態で収納凹部１２内に収納される。
【００１９】
また、照準器２は、光学窓２１をその展開方向に付勢する付勢手段２１ｂを具えている。付勢手段２１ｂは、例えば回転軸部２１ａに巻装された巻きバネである。光学窓２１は、次に説明する開閉カバー４が開方向に移動することで、付勢手段２１ｂにより展開し、開閉カバー４を閉じることで、開閉カバー４に押し倒されて収納される。
【００２０】
開閉カバー４は、図４に示すように、回転軸部４１を中心として回動可能となるようにカメラ１に取り付けられている。開閉カバー４は、後端を中心に回動し、図１乃至図３に示すように、開状態と閉状態とを移行可能となっている。
【００２１】
開閉カバー４は、閉状態において、図８に示すように光学窓２１を下向きに付勢して収納させると共に光学窓２１を覆って保護する。また、開閉カバー４は、図４に示すように、閉状態からカメラ１の上方に向けて回動し、開状態になる。なお、開閉カバー４は、所定角度を超えて回動しないように規制されている。
【００２２】
このように、開閉カバー４は、縦向きに開閉するようにカメラ１に設置され且つ所定角度の回動で開状態になるので、開閉カバー４を開けるのに必要なスペースを小さくできる。
【００２３】
開閉カバー４の内面には、図４及び図９に示すように、開閉カバー４の開閉に伴って、光学窓２１を滑らかに展開及び収納させるためのガイド部４２が設けられている。カイド部４２は、カメラ１の前後方向に沿って形成されている。ガイド部４２のガイド面４２ａは、開閉カバー４の内面に突設され、側面視略円弧状に形成されたリブとすることができる。ガイド部４２では、開閉カバー４の開閉の際に、光学窓２１の枠部２１ｃ上端がカイド面４２ａ上を摺動することで、光学窓２１が滑らかに展開及び収納することができる。なお、枠部２１ｃとガイド面４２ａとの摺動性を高めるために、枠部２１ｃの上端は、図４に示すように、ガイド面４２ａと当接する面を略円弧状とすることが望ましい。
【００２４】
また、開閉カバー４には、図３及び図４に示すように、開閉カバー４の開状態で光学窓２１を後方から覗き見るための窓部４３と、窓部４３を開閉する開閉扉４４とが設けられている。開閉カバー４を開状態としたときに、開閉扉４４が開放して窓部４３が出現することで、開閉カバー４を開いたときに光学窓２１を覗き見ることが可能になる。なお、開閉扉４４を設けることで、開閉カバー４の閉状態では開閉扉４４は窓部４３を塞ぎ、開閉カバー４が光学窓２１を保護する機能を十分に確保することができる。
【００２５】
開閉扉４３は、たとえば窓部４３が略矩形となる形状とすることができ、開閉カバー４を開状態としたときに、展開した光学窓２１と対向する後方位置に窓部４３が形成される。開閉扉４４の一端部（本実施形態では上端部）は、回転軸部４４ａを中心に回動可能に開閉カバー４に取り付けられている。
【００２６】
また、開閉扉４４は、光学窓２１の展開に追従して開扉される構成とすることができる。より詳細には、開閉扉４４の上端には、展開した光学窓２１の枠部２１ｃの上端に押圧される押圧部４４ｂが設けられている。この押圧部４４ｂは、図８に示すように、開閉扉４４の閉扉状態で、下向きに突出している。そして、開閉カバー４が開状態になって光学窓２１が展開したときに、押圧部４４ｂは、光学窓２１の枠部２１ｃの上部によって後方側に押圧される。この押圧により、開閉扉４４は、回転軸部４４ａを中心に開閉カバー４に対して上向きに回動し、開扉されて窓部４３が出現する。
【００２７】
開閉カバー４には、開閉扉４４を閉扉方向に付勢する付勢手段４５が設けられている。付勢手段４５は、例えば巻きバネであり、開閉扉４４の回動軸である回転軸部４４ａに巻装されている。光学窓２１が収納されて光学窓２１による押圧部４４ｂへの押圧力が解除されると、その付勢手段４５により、開閉扉４４が閉扉される。
【００２８】
開閉カバー４は、カメラ１に対して開方向に付勢する付勢手段４６（図４参照）と、開閉カバー４を閉状態でロックするロック機構（図示省略）と、ロック機構のロックを解除するレバー４７（図２参照）とを具え、その開閉操作が行なわれる。
【００２９】
付勢手段４６は、例えば巻きバネであり、開閉カバー４の回動軸である回転軸部４１に巻装されている。レバー４７は、カメラ１の外面、例えば開閉カバー４付近に設置されている。レバー４７は、例えばスライド式であり、ロック位置にスライドされるとロック機構がロック状態になり、解除位置にスライドされるとロック機構のロックが解除されて、開閉カバー４は、付勢手段４６に付勢されて開き方向に回動する。
【００３０】
照準マークを投光する投光器２２は、ＬＥＤなどで構成される。投光器２２は、カメラ１の上部において、光学窓２１の後方側に光学窓２１から離れて設置されている。
【００３１】
投光器２２の上下方向の位置を調整する調整機構２３は、図４及び図７に示すように、支持部材２３ａと、カム２３ｂと、付勢手段２３ｃと、中継歯車２３ｄ，２３ｅ，２３ｆと、調整ダイヤル２３ｇとを具えた構成とすることができる。
【００３２】
支持部材２３ａは、投光器２２を上下方向に進退可能に支持するものである。支持部材２３ａは、その基軸方向の一端部上に投光器２２が設置され、その基軸方向の他端部が水平軸部２３ｈ回りに回動可能にカメラ１に取り付けられている。付勢手段２３ｃは、例えば巻きバネであり、支持部材２３ａの一端部側を上方向に付勢することで、投光器２２を上方向に付勢するものである。
【００３３】
カム２３ｂは、回転角に応じて投光器２２の移動上限を規制するものである。カム２３ｂは、例えば断面円形の棒状に形成されており、その両端が回転可能にカメラ１に取り付けられている。カム２３ｂは、支持部材２３ａの上側に配置し、支持部材２３ａの基軸方向に直交している。カム２３ｂの回転軸方向の中間部分は、図７に最もよく表わされるように、カム２３ｂの径方向に凸状に屈曲してクランク部２３ｉを形成している。クランク部２３ｉは、支持部材２３ａの上面に当接して、支持部材２３ａの一端部（従って投光器２２）の移動上限を規制している。カム２３ｂがその回転軸回りに回転してクランク部２３ｉの上下方向の位置が変化することで、支持部材２３ａの一端部の上下方向の位置が変化する。
【００３４】
このように、支持部材２３ａの一端部（従って投光器２２）は、付勢手段２３ｃにより上方向に付勢されて、カム２３ｂにより規定された上限位置に配置される。そして、その上限位置は、カム２３ｂの回転角に応じて上下方向に調整可能になっている。
【００３５】
調整ダイヤル２３ｇは、投光器２２の付近に回転可能にカメラ１に設置されている。調整ダイヤル２３ｇには歯車２３ｄが同心状に連結されており、カム２３ｂの回転軸方向の一端にも歯車２３ｅが同心状に連結されており、これらの歯車２３ｄ，２３ｅに歯合するように中継歯車２３ｆが回転可能に配置されている。これにより、調整ダイヤル２３ｇを正逆回転させることで、カム２３ｂが正逆回転して投光器２２を上下方向に移動させることができる。
【００３６】
遠くの被写体を撮影する場合は、調整機構２３により投光器２２を上方向に移動させて照準マークの位置を光学窓２１の上方向にずらし、近くの被写体を撮影する場合は、投光器２２を下方向に移動させて照準マークの位置を光学窓２１の下方向にずらすことで、遠近両方に対応可能になっている。
【００３７】
フード５は、投光器２２を被覆し且つ調整ダイヤル２３ｇを露出するように、カメラ１の上部に設けられている。フード５には、図４に示すように、投光器２２の正面に対向する位置に、投光器２２から投光された照準マークが通過する透光窓５１が開設されている。フード５は、例えば、投光器２２から光学窓２１の付近までの範囲を被覆している。
【００３８】
次に、この照準器付き光学結像装置の主要動作、即ち開閉カバー４の開閉動作、及び、光学窓２１の収納及び展開動作を説明する。
【００３９】
まず、開閉カバー４の開状態では、開閉カバー４は、付勢手段４６により付勢されて開状態を維持している。また、光学窓２１も付勢手段２１ｂにより展開している。また、展開した光学窓２１の枠体２１ｃにより開閉扉４４の押圧部４４ｂがカメラ後面側に押圧されて、開閉扉４４が開扉状態を維持している。
【００４０】
なお、押圧部４４ｂをゴムやウレタン等の弾性部材や、フェルトなどのクッション材から形成することで、開閉扉４４を開扉する際、押圧部４４ｂに枠体２１ｃが押し当てられたときの衝撃やこれらの衝突音の発生を抑えることができる。
【００４１】
開閉扉４４が開扉することで、カメラ後面側から開閉カバー４の窓部４３を介して光学窓２１を後方から覗き見ることが可能となる。そして、光学窓２１を介して視認する被写体が光学窓２１上に投光された照準マークに重なるように、カメラ１の撮影方向を調整することで、その被写体をカメラ１の視野内に収めることができる。
【００４２】
この開状態から、開閉カバー４を手で押下して倒伏させることで、図８に示した閉状態に移行する。その際、図９に示すように、光学窓２１の上端部は、開閉カバー４の閉成に伴って開閉カバー４のガイド部４２のガイド面４２ａに沿って摺動する。これにより、図８に示すように、光学窓２１は、開閉カバー４からの押さえ付けによって、収納方向に滑らかに転倒されて収納される。そして、光学窓２１が収納されることで、光学窓２１の押圧部４４ｂへの押圧が解除される。これにより、開閉カバー４の開閉扉４４が付勢手段４５により閉扉される。
【００４３】
また、開閉カバー４が閉状態になると、ロック機構が開閉カバー４の閉状態を保持し、これにより、開閉カバー４から手を離しても、開閉カバー４の閉状態が維持される。
【００４４】
開閉カバー４の閉状態では、図８に示すように、開閉カバー４の閉状態はロック機構によりロックされ、光学窓２１は開閉カバー４により押さえ付けられて収納され、開閉カバー４の開閉扉４４は付勢手段４５により閉扉されている。
【００４５】
この閉状態から、レバー４７を解除位置に操作すると、ロック機構のロックが解除されて、開閉カバー４が付勢手段４６に付勢されて開状態に移行する。この際、図９に示すように、光学窓２１の枠部２１ｃの上端は、開閉カバー４のガイド部４２のガイド面４２ａに沿って摺動する。これにより、光学窓２１は、開閉カバー４の開放と共に滑らかに起立して展開する。光学窓２１が起立することで、光学窓２１の枠部２１ｃが、開閉扉４４の押圧部４４ｂを後方に押圧し、開閉扉４４が開扉されることとなる。
【００４６】
以上のように構成された照準器付き光学結像装置によれば、光学結像装置（例えばカメラ１）に照準器２が搭載されているので、照準器２の取付け及び取外しの作業や取付角度、取付位置等の調整を不要とすることができる。また、光学窓２１が収納及び展開可能に設置されているので、照準器２を使用しないときは、光学窓２１を収納することで、照準器２（特に光学窓２１）が嵩張ったり、破損してしまうことを防止できる。
【００４７】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００４８】
たとえば、開閉カバー４の内面に、図２及び図４に示すように、被写体を照明する閃光器（例えばフラッシュ）３を設置することもできる。閃光器３は、開閉カバー４の内面のカメラ前方側に設置することができる。望ましくは、閃光器３は、開閉カバー４の開状態で、展開した光学窓２１よりも上側に配置する。この配置により、閃光器３が光学窓２１の視野が遮られることはない。
【符号の説明】
【００４９】
１  カメラ（光学結像装置）
２  照準器
３  閃光器
４  開閉カバー
２１  光学窓
２２  投光器
２３ｂ  カム
２３ｇ  調整ダイヤル
４３  窓部
４４  開閉扉
【図１】
2015155966.tif 000003
【図２】
2015155966.tif 000004
【図３】
2015155966.tif 000005
【図４】
2015155966.tif 000006
【図５】
2015155966.tif 000007
【図６】
2015155966.tif 000008
【図７】
2015155966.tif 000009
【図８】
2015155966.tif 000010
【図９】
2015155966.tif 000011